(57)【要約】【課題】発光性のある紐であって、発光性が紐の周囲の何れの面に於いても作用するものとし、構成上の問題も無く、かつ経済性にも優れた紐を提供せんとする。【解決手段】芯材２を、織物又は編物或いは組物で被覆３した紐状体であって、前記被覆３する織物又は編物或いは組物を形成する複数の糸の少なくとも一本は畜光顔料６を含有する糸４とする。他の糸５は光透過性を有するものとする。【選択図】  図１
2020183589.tif 000002
【特許請求の範囲】
【請求項１】
芯材を、織物又は編物或いは組物で被覆した紐状体であって、前記被覆する織物又は編物或いは組物を形成する複数の糸材の少なくとも一本は畜光顔料を含有し、他の糸材は光透過性を有するものであることを特徴とする紐。
【請求項２】
被覆する織物又は編物或いは組物を形成する複数の糸材の少なくとも一本は再帰反射糸であることを特徴とする請求項１に記載の紐。
【請求項３】
芯材が伸縮糸であることを特徴とする請求項１又は２に記載の紐。
【発明の詳細な説明】
【技術分野】
【０００１】
本発明は紐に関するものであり、詳しくは発光性のある紐であって、発光性が紐の周囲の何れの面に於いても作用し、かつ経済性にも優れた紐に関する。
【背景技術】
【０００２】
暗所で物体を発光させる方法としては、畜光材によるものと、再帰反射材によるものがある。
蓄光材は、予め光を吸収して蓄えたエネルギーを、暗所で徐々に発光の形で放出することのできる材料であり、再帰反射材は、光が照射されたとき、その光源方向に光を反射する性質を有する材料である。
【０００３】
従来の発光体としては、最外層に蛍光塗料が塗布されている構造のもの、あるいは最外層に燐光性硫化亜鉛を主成分とする残光性蛍光塗料が塗布されている構造のものがある。
又、例えばＺｎＳやＣａＳ、又は、Ａｌ２Ｏ３、ＣａＯ或いはＭｇＯを主成分とする蓄光性化合物を公知の方法により練り込んだ合成高分子化合物がある。
さらに、アルミン酸ストロンチウムを主成分とする残光性蛍光体が混入されたゴムやプラスチックの発光性押出し成形層が少なくとも表面に設けられたものも提案されている。
【０００４】
他方、再帰反射材は、基板にアルミニウムを反射面として蒸着し、その上にガラスの微小球を敷きつめ、更に透明層を設けて前記ガラスの微小球を封じ込めたものがある。
【０００５】
この様な畜光材や再帰反射材を用いて、牽引ロープ、安全ロープ、荷造り用ロープ、更にはＯリング、釣糸用接続具（クッションゴム）、装飾用飾り紐等の多くの用途に使用をすることができる。
【０００６】
登録実用新案第３１７５１２０号公報では、芯材の伸縮紐材に蓄光顔料を含有し、被覆する織物又は編物或いは組紐は光透過性糸を用いて形成し、畜光顔料に被覆するカバー材を透過した光線が照射されるようにした構成を開示している。
【０００７】
また、特開２００５−３５０７８９号公報は、装飾性に優れるとともに、引っ張っても曲げても元に戻る復元力のある紐を目的としたものであって、延伸自在なゴム状芯体と、ゴム状芯体の表面に網目状に巻かれた複数のフィルム状帯状体と、ゴム状芯体にフィルム状帯状体と交互に編み込むように巻かれたモノフィラメントとを備える紐が開示されている。
【先行技術文献】
【特許文献】
【０００８】
【特許文献１】登録実用新案第３１７５１２０号公報
【特許文献２】特開２００５−３５０７８９号公報
【発明の概要】
【発明が解決しようとする課題】
【０００９】
上記の登録実用新案第３１７５１２０号公報は芯材に蓄光顔料を含有し、その表面を覆うカバー材を通過させて如何に光を吸収させるかに関するもので、一方、特開２００５−３５０７８９号公報では装飾性に優れた紐を提供せんとするものである。
【００１０】
そこで、本発明は、発光性のある紐であって、発光性が紐の周囲の何れの面に於いても作用するものとし、構成上の問題も無く、かつ経済性にも優れた紐を提供せんとするものである。
【課題を解決するための手段】
【００１１】
本発明にかかる請求項１の紐の発明は、芯材を、織物又は編物或いは組物で被覆した紐状体であって、前記被覆する織物又は編物或いは組物を形成する複数の糸材の少なくとも一本は畜光顔料を含有し、他の糸材は光透過性を有するものであることを特徴とするものである。
【００１２】
本発明にかかる請求項２の紐の発明は、請求項１の発明において、被覆する織物又は編物或いは組物を形成する複数の糸材の少なくとも一本は再帰反射糸であることを特徴とするものである。
【００１３】
本発明にかかる請求項２の紐の発明は、請求項１又は２の発明において、芯材が伸縮糸であることを特徴とするものである。
【発明の効果】
【００１４】
芯材を覆う織物又は編物或いは組物を形成する複数の糸材の中、少なくとも一本は畜光顔料を含有し、他の糸は全て光透過性を有する材であるため、覆う織物又は編物或いは組物が如何なる組織であっても、畜光顔料を含有した糸の光が重なって組織された光透過性を有する材の糸を透過するため、畜光顔料を含有した糸の全ての発光する部位の光が外部へ照射して視認できる効果を発揮する。
【００１５】
また、畜光のための光が光透過性を有する糸を透過して受光されるため、覆う織物又は編物或いは組物の組織を問わず、組織の一部分に使用しても畜光作用も畜光顔料を含有した糸の全ての部位で奏する効果もある。
【００１６】
さらに、被覆する織物又は編物或いは組物を形成する複数の糸材の少なくとも一本は再帰反射糸である場合も、外部に露出している部分は勿論、他の光透過性を有する糸が重なっている部位でも、光を直接又は透過して受けるため再帰反射糸の被覆位置を問わず、糸の全てにおいて反射する光を外部から視認できる効果を発揮する。
【００１７】
したがって、発光作用をなす一本の糸の全ての面が外部から視認目的を達せられため、無駄が生ぜず効率的で、経済性に富む効果を得られる。
【図面の簡単な説明】
【００１８】
【図１】本発明の一実施の形態を示す紐の正面図である。
【図２】本発明の一実施の形態を示す紐の簡略化した縦断面図である。
【図３】本発明の一実施の形態を示す畜光顔料を含有した糸の正面図である。
【図４】本発明の一実施の形態を示す再帰反射糸の断面図である。
【発明を実施するための形態】
【００１９】
本発明の発光性を有する紐１は、芯材２を、織物又は編物或いは組物で被覆した紐状体であって、前記被覆３する織物又は編物或いは組物を形成する複数の糸材の少なくとも一本の糸４は畜光顔料６を含有し、他の糸５は光透過性を有するものであることを特徴とする。
また、複数の糸材の少なくとも一本の糸４は再帰反射糸７に換えても良いとするものである。
【００２０】
図１では組物で被覆３したもので、ゴム紐を芯材２とし、６本の糸で組物を組みあげたものを例示し、６本の糸４，５が上下に組み合わされている組織を、図面作成上簡略化して表示してある。
被覆３した組物の一本の糸４は畜光顔料６を含有し、他の糸５は光透過性を有するものであり、糸４が周囲にらせん状に込まれて視認され、光透過性を有する他の糸４を透過して芯材２の色彩（又は模様）が透過して地模様として認められる。
【００２１】
芯材２は紐状体であれば材質は制約がなく、紐の用途に応じた強靭性や太さに応じた繊維糸や伸縮性のある弾性糸やゴムでも良い。
繊維は自然繊維や化学繊維を問わず、太さや本数、或いは撚りの有無も限定されない。
ゴムは伸縮性に優れた高分子材料であり、木の樹液（ラテックス）によって作られる天然ゴムと、スチレン系、ポリブタジエン系、ニトリル系、クロロプレン系、シリコン系、フッ素系等の人工的合成ゴムがあり、任意に選択して用いても良い。
【００２２】
芯材２を被覆３する織物又は編物或いは組物は、袋状に芯材２に包むように織製又は編成或いは組んでいくことで被覆することができ、具体的な組織については限定されない。
また、レピア織機、ニードル織機、製紐機等各種の機種も自由に選択して構成でき、撚糸機によりカバーリングでの被覆も同一の作用効果を得られ、当然に含まれるものである。
【００２３】
被覆３する織物又は編物或いは組物を形成する複数の糸材の中、少なくとも一本に蓄光顔料６を含有する糸４を使用する。
糸４は各組織の全面に亘って他の糸５と組織を形成して規則的な発光模様とすることも、部分的に使用して発光部分を強調するようにしても良い。
蓄光顔料６は、自然の光（太陽光、月光）や、人工の光（照明等等）などを励起することから光エネルギーを蓄える性質を持ち、蓄えたエネルギーをゆっくり光として放出し、元の状態に戻る特性を持つものである。
【００２４】
蓄光顔料６は、ストロンチウム化合物やアルミニウム化合物を主原料とし、他の酸化物と希土類元素などが結合され、有害物質を含まない材料であり、公知の各種の蓄光顔料６を使用することができる。
具体例としては、アルミナに賦活材としてストロンチウム（Ｓｒ）、カルシウム（Ｃａ）、ジスプロチウム（Ｄｙ）、ユウロピウム（Ｅｕ）等を配合したものを焼成した酸化物系蛍光体がある。
この酸化物系蛍光体自体は無機物で焼成されており、高温によって焼成されているので通常の使用において化学的に安定しており、安全性及び加工性にも優れ、紫外線等による劣化の虞もなく、基本的に寿命は半永久的で耐候性は十分に有しており、その間何回でも光の吸収・発光を繰り返す。
【００２５】
含有形態としては、蓄光顔料６を前記糸４の表面に散在させて被着した構成とするものや、糸４の製造過程で蓄光顔料２を混合して製糸する等が考えられる。
何れにしても、蓄光顔料６が糸４の表面又は表面近くに埋設され、受光可能で且つ発光が外部からが認められる状態であることが好ましい。
【００２６】
一方、再帰反射糸７は、基板シート７１にアルミニウム７２を反射面として蒸着し、その上にガラスの微小球７３を敷きつめ、更に透明層７４を設けて前記ガラスの微小球７３を封じ込め、当該シートを適宜幅（０．５〜２ミリメートルが好ましい）で裁断して帯状とすることで、糸として用いることができる。
再帰反射糸７を基材シートの表裏面に形成すれば、例えば組物で何れの面が表側に現れても反射面を確保できものとなる。
【００２７】
次に、他の糸５は光透過性を有する材で製糸されており、透明糸に限らず半透明な糸でも光を透過するものであれば良く、透明糸としてはナイロン糸が最も一般的である。
光が直接又は透過した光が蓄光顔料６に励起作用が生ぜしめ、暗所において発光作用を促すものであり、また、同様に再帰反射糸７が受けた光を反射して外部から視認できるものとなる。
【００２８】
以上説明した本発明の技術的範囲は、上記の実施の形態例に限定されるものではなく、本明細書及び図面に記載した事項から明らかになる本発明が真に意図する技術的思想の範囲全体に、広く及ぶものである。
【符号の説明】
【００２９】
１  紐
２  芯材
３  被覆
４  畜光顔料を含有した糸
５  他の糸
６  蓄光顔料
７  再帰反射糸
【図１】
2020183589.tif 000003
【図２】
2020183589.tif 000004
【図３】
2020183589.tif 000005
【図４】
2020183589.tif 000006
【手続補正書】
【提出日】令和1年11月28日(2019.11.28)
【手続補正１】
【補正対象書類名】特許請求の範囲
【補正対象項目名】請求項１
【補正方法】変更
【補正の内容】
【請求項１】
芯材を、織物又は編物或いは組物で被覆した紐状体であって、前記被覆する織物又は編物或いは組物を形成する複数の糸材の少なくとも一本は畜光顔料を含有し、他の糸材は光透過性を有するものであること、重なって下方に組織された畜光顔料を含有した糸の部分が、光透過性を有する材の糸を透過して受光及び発光を可能としたことを特徴とする紐。
【手続補正２】
【補正対象書類名】明細書
【補正対象項目名】００１１
【補正方法】変更
【補正の内容】
【００１１】
本発明にかかる請求項１の紐の発明は、芯材を、織物又は編物或いは組物で被覆した紐状体であって、前記被覆する織物又は編物或いは組物を形成する複数の糸材の少なくとも一本は畜光顔料を含有し、他の糸材は光透過性を有するものであること、重なって下方に組織された畜光顔料を含有した糸の部分が、光透過性を有する材の糸を透過して受光及び発を可能としたことを特徴とするものである。